(57)【要約】  トイレットペーパーロールホルダ組立品は、（ａ）それ自体が丸められている、少なくとも一つの折り曲げ可能シートと、（ｂ）前記折り曲げ可能シートをそれ自体に係合させるための第一係合手段と、（ｃ）前記折り曲げ可能シートを他の折り曲げ可能シートに係合させるための第二係合手段、又は前記折り曲げ可能シートを支持シートに係合させるための第三係合手段とを備え、前記支持シートは折り曲げられた形態でない。前記折り曲げ可能シートは、それらが折り曲げられた形態において、トイレットペーパーロールを保持するための閉じた空間を生成する。前記係合手段は、前記トイレットペーパーロールホルダを自在に組み立て及び分解することを可能としており、前記折り曲げ可能シート及び前記支持シートは合成材料で形成されている。
2010512219.tif 000002
【特許請求の範囲】
【請求項１】
ａ．それ自体で丸められる、少なくとも一つの折り曲げ可能シートと、
ｂ．前記折り曲げ可能シートをそれ自体に係合させるための第一係合手段と、
ｃ．前記折り曲げ可能シートを他の折り曲げ可能シートに係合させるための第二係合手段、又は前記折り曲げ可能シートを、折り曲げられた形態でない支持シートに係合させるための第三係合手段と、
を備え、
前記第二係合手段は、前記第一係合手段又は異なる係合手段であり、
前記第三係合手段は、前記第一係合手段又は異なる係合手段であり、
前記第一係合手段、前記第二係合手段、及び前記第三係合手段は、前記折り曲げ可能シートの縁に隣接するように配置されており、
前記第一折り曲げ可能シートの前記第二係合手段は、他の折り曲げ可能シートと、前記他の折り曲げ可能シートの下方部分において所定の位置に係合可能であり、
前記第一の折り曲げ可能シート及び前記他の折り曲げ可能シートは、それらが折り曲げられた形態において、トイレットペーパーロールを保持するための閉じた空間を生成し、
前記係合手段は、前記トイレットペーパーロールホルダを自在に組み立て及び分解することを可能としており、前記折り曲げ可能シート及び前記支持シートは合成材料で形成されている、
トイレットペーパーロールホルダ組立品。
【請求項２】
請求項１に記載のトイレットペーパーロールホルダであって、
前記第一係合手段、前記第二係合手段、及び前記第三係合手段は、ボタン、スコッチ突片、両面粘着テープ、前記折り曲げ可能シートの縁に隣接するように明けられた孔に挿通される、開放部を有するリング、クリップ、及び突片と切れ目との結合からなるグループから選択され、
前記突片は、前記折り曲げ可能シートの一方の縁の近くで前記折り曲げ可能シートから部分的に切り出され、前記切れ目は、前記折り曲げ可能シートの反対側の縁の近くに、又は前記折り曲げ可能シートあるいは支持シートの下方部分にある所定の位置に明けられ、前記突片を前記切れ目に差し込むことによって、前記折り曲げ可能シートの縁を互いに固定し、あるいは前記折り曲げ可能シートを、折り曲げた状態で、他の折り曲げ可能シート又は前記支持シートに係合させる、
トイレットペーパーロールホルダ組立品。
【請求項３】
先行する請求項のいずれかに記載のトイレットペーパーロールホルダ組立品であって、
前記第一係合手段、前記第二係合手段、及び前記第三係合手段は、種々の形態で固定する突片・切れ目結合により提供される、
トイレットペーパーロールホルダ組立品。
【請求項４】
請求項３に記載のトイレットペーパーロールホルダ組立品であって、
前記突片は、前記シートの縁のうちの一つの近くで前記折り曲げ可能シートから部分的に切り出され、その余りの部分に留め具の形態で延長部を有しており、前記切れ目は、その下方に延びる切り欠きを有し、その長さは前記突片の基部の長さより短く、前記突片の縁と反対側の縁の近くで、又は他の前記折り曲げ可能シート又は前記支持シートの下方部分に所定の位置で前記折り曲げ可能シートに配置されており、前記突片を前記切れ目に差し込むと、前記突片の前記留め具が前記切れ目の前記切り欠き内に入り込み、前記切れ目に前記突片を確実に固定し、
突片・切れ目結合は、折り曲げ可能シートの一つの縁を反対側の縁に係合させ、あるいは一つの折り曲げ可能シートを他の折り曲げ可能シートにいずれのシートも折り曲げられた状態で係合させ、又は一つの折り曲げ可能シートを前記支持シートに係合させる、
トイレットペーパーロールホルダ組立品。
【請求項５】
請求項３に記載のトイレットペーパーロールホルダ組立品であって、
単一の突片が前記折り曲げ可能シートの一つの縁の近くで部分的に切り出され、前記折り曲げ可能シートの反対側の縁にある切れ目に結合されるとともに、他の折り曲げ可能シートの下方部分又は支持シートで所定の位置にあるいずれかの切れ目に結合されており、前記突片は前記切れ目に差し込むのに適しており、それにより前記折り曲げ可能シートの縁を互いに固定し、折り曲げたシートを他の折り曲げたシート又は前記支持シートに係合させる、
トイレットペーパーロールホルダ組立品。
【請求項６】
請求項５に記載のトイレットペーパーロールホルダ組立品であって、
前記単一の突片は、前記シートの縁のうちの一つの近くで前記折り曲げ可能シートから部分的に切り出され、その余りの部分に留め具の形態で延長部を有しており、前記切れ目は、前記折り曲げシートの反対側の縁の近くに、又は前記折り曲げシートの下方部分あるいは前記支持シートにある所定の位置に明けられ、前記切れ目の各々は、その下方に延びる切り欠きを有し、その長さは前記突片の基部の長さより短く、前記突片の縁と反対側の縁の近くで、又は他の前記折り曲げ可能シートの下方部分又は前記支持シートにある所定の位置で前記折り曲げ可能シートに配置されており、前記突片を前記切れ目に差し込むと、前記突片の前記留め具が前記切れ目の前記切り欠き内に入り込み、前記切れ目に前記突片を確実に固定し、
突片・切れ目結合は、折り曲げ可能シートの一つの縁を反対側の縁に係合させ、あるいは一つの折り曲げ可能シートを他の折り曲げ可能シートにいずれのシートも折り曲げられた状態で係合させ、又は一つの折り曲げ可能シートを前記支持シートに係合させる、
トイレットペーパーロールホルダ組立品。
【請求項７】
先行するいずれかの請求項に記載のトイレットペーパーロールホルダ組立品であって、
前記折り曲げ可能シート及び前記支持シートは、ポリプロピレン、ポリエチレン、ポリウレタン、スチレンポリマー、ビニルポリマー、好ましくはポリ塩化ビニル、エラストマー、あるいは前記のいずれかによる組み合わせからなるグループから選択した合成材料から別個に形成されている、
トイレットペーパーロールホルダ組立品。
【請求項８】
先行するいずれかの請求項に記載のトイレットペーパーロールホルダ組立品であって、
前記折り曲げ可能シート及び前記支持シートは、印刷可能な合成材料から形成されている、トイレットペーパーロールホルダ組立品。
【請求項９】
請求項８に記載のトイレットペーパーロールホルダ組立品であって、
印刷した前記折り曲げ可能シートの組み合わせ、あるいは印刷した前記折り曲げ可能シートと前記支持シートとの組み合わせが、グラフィックパターン、デザイン、筆記文字、書、色、あるいはこれらのいずれかの組み合わせを形成する、
トイレットペーパーロールホルダ組立品。
【請求項１０】
先行するいずれかの請求項に記載されているトイレットペーパーロールホルダ組立品であって、
前記折り曲げ可能シート及び前記支持シートは水洗い可能であり、洗剤に対する耐久性を備えている、
トイレットペーパーロールホルダ組立品。
【請求項１１】
先行するいずれかの請求項に記載されているトイレットペーパーロールホルダ組立品であって、
前記折り曲げ可能シートは弾性合成材料を備え、前記弾性合成材料は、前記折り曲げ可能シートが折り曲げられた状態で形成する閉じた空間に収納するペーパーロールの寸法に従って前記折り曲げ可能シートが伸縮することを可能とする、
トイレットペーパーロールホルダ組立品。
【請求項１２】
請求項１１に記載のトイレットペーパーロールホルダ組立品であって、前記折り曲げ可能シートが網状に形成されている、トイレットペーパーロールホルダ組立品。
【請求項１３】
先行するいずれかの請求項に記載のトイレットペーパーロールホルダ組立品であって、
さらに保管収納部を備え、前記保管収納部は前記第二の係合手段によって最下部にある前記折り曲げ可能シートに、又は前記第三係合手段によって前記支持シートに係合されており、
前記係合手段は、前記保管収納部を前記折り曲げ可能シート又は前記支持シートに自在に取り付け、又はそれから取り外し可能としている、
トイレットペーパーロールホルダ組立品。
【請求項１４】
請求項１３に記載のトイレットペーパーロールホルダ組立品であって、
前記保管収納部は、トイレット用又は個人用衛生用品を保持するためのものであり、前記衛生用品は、好適には女性用衛生ケア用品である、
トイレットペーパーロールホルダ組立品。
【請求項１５】
先行するいずれかの請求項に記載のトイレットペーパーロールホルダ組立品であって、
各折り曲げ可能シートは、前記組立品から個別に取り外して他の折り曲げシートと交換することができる、
トイレットペーパーロールホルダ組立品。
【請求項１６】
先行するいずれかの請求項に記載のトイレットペーパーロールホルダ組立品であって、
前記組立品は、特に限定されない数の折り曲げ可能シートを折り曲げられた状態で備え、いずれの折り曲げ可能シートも、前記組立品において個別に再配置し、あるいは異なる折り曲げ可能シートと交換することができる、
トイレットペーパーロールホルダ組立品。
【請求項１７】
複数のポリプロピレン製折り曲げ可能シートを備え、
各シートを丸めてその縁を互いに突片・切れ目結合によって結合し、
前記突片は前記シートの一つの縁の近くで各シートの表面から部分的に切り出されており、前記切れ目は、前記シートの他の縁の近くで前記シートに明けられており、
前記突片は前記切れ目に差し込むのに適しており、それにより前記折り曲げ可能シートの縁を互いに固定し、折り曲げたシートを他の折り曲げたシート又は前記支持シートに係合させ、
前記折り曲げられたシートは、前記シートの他の縁の近くに配置されその他の前記折り曲げられたシートの下方部分に配置された切れ目に差し込まれる第二の突片によって、他の折り曲げられたシートの上に係合され、
各シートは折り曲げられた状態で、トイレットペーパーロールを保持するための閉じられた空間を形成し、
前記突片・切れ目結合は、前記トイレットペーパーロールホルダを自在に組み立て、又は分解することを可能としている、
トイレットペーパーロールホルダ組立品。
【請求項１８】
複数のポリプロピレン製折り曲げ可能シートを備え、
各シートを丸めてその縁を互いに突片・切れ目結合によって結合し、
前記突片は前記シートの一つの縁の近くで各シートの表面から部分的に切り出されており、前記切れ目は、前記シートの他の縁の近くで前記シートに明けられており、
前記突片は前記切れ目に差し込むのに適しており、それにより各シートの縁を互いに固定し、各折り曲げたシートを他の折り曲げたシート又は前記支持シートに係合させ、
前記折り曲げられたシートは、前記支持シートに明けられた切れ目に差し込まれる、前記シートの反対側の縁の近くに配置される第二の突片によって、支持シートに係合され、
各シートは折り曲げられた状態で、トイレットペーパーロールを保持するための閉じられた空間を形成し、
前記突片・切れ目結合は、前記トイレットペーパーロールホルダを自在に組み立て、又は分解することを可能としている、
トイレットペーパーロールホルダ組立品。
【請求項１９】
請求項１７又は１８に記載のトイレットペーパーロールホルダ組立品であって、
各シートの表面は印刷された形態を備え、好適には前記折り曲げられたシートへの印刷の組み合わせが、グラフィックパターン又はデザインを形成し、好適には前記グラフィックパターン又はデザインは、一年分又は一月分のカレンダー、商業広告又は商標、筆記文字、又はそれらの組み合わせである、
トイレットペーパーロールホルダ組立品。
【請求項２０】
請求項１７から１９までのいずれかに記載のトイレットペーパーロールホルダ組立品であって、
前記折り曲げ可能シート又は前記支持シートは、水洗い可能であって洗剤に対する耐久性を備えている、トイレットペーパーロールホルダ組立品。
【請求項２１】
トイレットペーパーロールホルダ組立品の製造方法であって、
ａ．少なくとも一つの折り曲げ可能シートを用意し、
ｂ．前記折り曲げ可能シートをそれ自体に係合させるための第一係合手段を用意し、
ｃ．前記折り曲げ可能シートを他の折り曲げ可能シートに係合させるための第二係合手段、又は支持シート及び前記折り曲げ可能シートを折り曲げられた状態でない支持シートに係合させるための第三係合手段とを用意し、
ｄ．一つの折り曲げ可能シートをその折り曲げ可能シートの長手方向に丸め、一つの縁を前記折り曲げ可能シートの反対側の縁に前記第一係合手段によって係合させ、選択的に、前記第三係合手段を用いることによって、前記折り曲げ可能シートを前記支持シートに折り曲げられた状態で係合させ、
選択的に、
ｅ．前記第二係合手段を用いることによって、前記折り曲げられたシートを他の折り曲げられたシートに係合させ、
ｆ．複数の折り曲げられたシートを備えるトイレットペーパーロールホルダ組立品を得るために、ａないしｅのステップを繰り返し、
前記第一の、及び他の折り曲げ可能シートは、折り曲げられた状態で、トイレットペーパーロールを保持するための閉じた空間を形成し、
前記係合手段は、前記トイレットペーパーロールホルダを自在に組み立て、又は分解することを可能としており、
前記折り曲げ可能シート及び前記支持シートは合成材料で形成されている、
トイレットペーパーロールホルダ組立品の製造方法。
【請求項２２】
請求項２１に記載の方法であって、
前記第二係合手段は前記第一係合手段又は異なる係合手段であり、前記第三係合手段は前記第一係合手段又は異なる係合手段であり、前記第一、第二、及び第三係合手段は、前記折り曲げ可能シートの縁の近くに配置されており、前記第一の折り曲げられたシートの前記第二係合手段は、前記他の折り曲げ可能シートの下方部分にある所定の位置で前記他の折り曲げ可能シートと係合されることができ、前記第三係合手段は、前記第一の折り曲げ可能シートを前記支持シートに係合させることが可能である、方法。
【請求項２３】
請求項２１又は２２に記載の方法であって、
前記第一係合手段、前記第二係合手段、及び前記第三係合手段は、ボタン、スコッチ突片、両面粘着テープ、前記折り曲げ可能シートの縁に隣接するように明けられた孔に挿通される、開放部を有するリング、クリップ、及び突片と切れ目との結合からなるグループから選択され、
前記突片は、前記折り曲げ可能シートの一方の縁の近くで前記折り曲げ可能シートから部分的に切り出され、前記切れ目は、前記折り曲げシートの反対側の縁の近くに、又は前記折り曲げシートの下方部分あるいは支持シートにある所定の位置に明けられ、前記突片を前記切れ目に差し込むことによって、前記折り曲げ可能シートの縁を互いに固定し、あるいは前記折り曲げ可能シートを、折り曲げた状態で、他の折り曲げ可能シート又は前記支持シートに係合させる、
方法。
【請求項２４】
請求項２３に記載の方法であって、
前記第一係合手段、前記第二係合手段、及び前記第三係合手段は、種々の形態で固定する突片・切れ目結合により提供される、
方法。
【請求項２５】
請求項２４に記載の方法であって、
前記突片は、前記シートの縁のうちの一つの近くで前記折り曲げ可能シートから部分的に切り出され、その余りの部分に留め具の形態で延長部を有しており、前記切れ目は、その下方に延びる切り欠きを有し、その長さは前記突片の基部の長さより短く、前記突片の縁と反対側の縁の近くで、又は他の前記折り曲げ可能シートの下方部分又は前記支持シートにある所定の位置で前記折り曲げ可能シートに配置されており、前記突片を前記切れ目に差し込むと、前記突片の前記留め具が前記切れ目の前記切り欠き内に入り込み、前記切れ目に前記突片を確実に固定し、
突片・切れ目結合は、折り曲げ可能シートの一つの縁を反対側の縁に係合させるとともに、一つの折り曲げ可能シートを他の折り曲げ可能シートにいずれのシートも折り曲げられた状態で係合させ、又は一つの折り曲げ可能シートを前記支持シートに係合させるために採用されている、
方法。
【請求項２６】
請求項２３に記載の方法であって、
単一の突片が前記折り曲げ可能シートの一つの縁の近くで部分的に切り出され、前記折り曲げ可能シートの反対側の縁にある切れ目と、他の折り曲げ可能シートの下方部分で所定の位置にある切れ目、又は支持シートにある切れ目のいずれかの両方に結合されており、前記突片は前記切れ目に差し込むのに適しており、それにより前記折り曲げ可能シートの縁を互いに固定し、折り曲げたシートを他の折り曲げたシート又は前記支持シートに係合させる、
方法。
【請求項２７】
請求項２６に記載の方法であって、
前記単一の突片は、前記シートの縁のうちの一つの近くで前記折り曲げ可能シートから部分的に切り出され、その余りの部分に留め具の形態で延長部を有しており、前記切れ目は、前記折り曲げシートの反対側の縁の近くに、又は前記折り曲げシートの下方部分あるいは前記支持シートにある所定の位置に明けられ、前記切れ目の各々は、その下方に延びる切り欠きを有し、その長さは前記突片の基部の長さより短く、前記突片の縁と反対側の縁の近くで、又は他の前記折り曲げ可能シートの下方部分又は前記支持シートにある所定の位置で前記折り曲げ可能シートに配置されており、前記突片を前記切れ目に差し込むと、前記突片の前記留め具が前記切れ目の前記切り欠き内に入り込み、前記切れ目に前記突片を確実に固定し、
突片・切れ目結合は、折り曲げ可能シートの一つの縁を反対側の縁に係合させるとともに、一つの折り曲げ可能シートを他の折り曲げ可能シートにいずれのシートも折り曲げられた状態で係合させ、又は一つの折り曲げ可能シートを前記支持シートに係合させるために採用される、
方法。
【請求項２８】
トイレットペーパーロールホルダ組立品を組み立てるためのキットであって、
ａ．少なくとも一つの折り曲げ可能シートと、
ｂ．前記折り曲げ可能シートをそれ自体に係合させるための第一係合手段と、
ｃ．前記折り曲げ可能シートを他の折り曲げ可能シートに係合させるための第二係合手段、又は支持シート及び前記折り曲げ可能シートを折り曲げられた状態でない前記支持シートに係合させるための第三係合手段と、
を備え、
前記第二係合手段は前記第一係合手段又は異なる係合手段であり、前記第三係合手段は前記第一係合手段又は異なる係合手段であり、前記第一、第二、及び第三係合手段は、前記トイレットペーパーロールホルダを組み立てるときに、前記折り曲げ可能シートの縁の近くに配置されており、
前記第一の折り曲げ可能シートの前記第二係合手段は、前記他の折り曲げ可能シートの下方部分にある所定の位置で前記他の折り曲げ可能シートと係合させることができ、
前記第一の、及び他の折り曲げ可能シートは、折り曲げられた状態で、トイレットペーパーロールを保持するための閉じた空間を形成し、
前記係合手段は、前記トイレットペーパーロールホルダを自在に組み立て、又は分解することを可能としており、
前記折り曲げ可能シート及び前記支持シートは合成材料で形成されている、
方法。
【請求項２９】
請求項２８に記載のキットであって、
前記第一係合手段、前記第二係合手段、及び前記第三係合手段は、ボタン、スコッチ突片、両面粘着テープ、前記折り曲げ可能シートの縁に隣接するように明けられた孔に挿通される、開放部を有するリング、クリップ、及び突片と切れ目との結合からなるグループから選択され、
前記突片は、前記折り曲げ可能シートの一方の縁の近くで前記折り曲げ可能シートから部分的に切り出され、前記切れ目は、前記折り曲げシートの反対側の縁の近くに、又は前記折り曲げシートの下方部分又は支持シートにある所定の位置に明けられ、前記突片を前記切れ目に差し込むことによって、前記折り曲げ可能シートの縁を互いに固定し、あるいは前記折り曲げ可能シートを、他の折り曲げ可能シートに折り曲げた状態で係合させ、又は前記支持シートに係合させる、
キット。
【請求項３０】
請求項２９に記載のキットであって、
前記第一係合手段、前記第二係合手段、及び前記第三係合手段は、種々の形態で固定する突片・切れ目結合により提供される、
キット。
【請求項３１】
請求項３０に記載のキットであって、
前記突片は、前記シートの縁のうちの一つの近くで前記折り曲げ可能シートから部分的に切り出され、その余りの部分に留め具の形態で延長部を有しており、前記切れ目は、その下方に延びる切り欠きを有し、その長さは前記突片の基部の長さより短く、前記突片の縁と反対側の縁の近くで、又は他の前記折り曲げ可能シートの下方部分又は前記支持シートにある所定の位置で前記折り曲げ可能シートに配置されており、前記突片を前記切れ目に差し込むと、前記突片の前記留め具が前記切れ目の前記切り欠き内に入り込み、前記切れ目に前記突片を確実に固定し、
突片・切れ目結合は、折り曲げ可能シートの一つの縁を反対側の縁に係合させるとともに、一つの折り曲げ可能シートを他の折り曲げ可能シートにいずれのシートも折り曲げられた状態で係合させ、又は一つの折り曲げ可能シートを前記支持シートに係合させるために採用される、
キット。
【請求項３２】
請求項３０に記載のキットであって、
単一の突片が前記折り曲げ可能シートの一つの縁の近くで部分的に切り出され、前記折り曲げ可能シートの反対側の縁にある切れ目と、他の折り曲げ可能シートの下方部分で所定の位置にある切れ目、又は支持シートにある切れ目のいずれかの両方に結合されており、前記突片は前記切れ目に差し込むのに適しており、それにより前記折り曲げ可能シートの縁を互いに固定し、折り曲げたシートを他の折り曲げたシート又は前記支持シートに係合させる、
キット。
【請求項３３】
請求項３２に記載のキットであって、
前記単一の突片は、前記シートの縁のうちの一つの近くで前記折り曲げ可能シートから部分的に切り出され、その余りの部分に留め具の形態で延長部を有しており、前記切れ目は、前記折り曲げシートの反対側の縁の近くに、又は前記折り曲げシートの下方部分あるいは前記支持シートにある所定の位置に明けられ、前記切れ目の各々は、その下方に延びる切り欠きを有し、その長さは前記突片の基部の長さより短く、前記突片の縁と反対側の縁の近くで、又は他の前記折り曲げ可能シート又は前記支持シートの下方部分に所定の位置で前記折り曲げ可能シートに配置されており、前記突片を前記切れ目に差し込むと、前記突片の前記留め具が前記切れ目の前記切り欠き内に入り込み、前記切れ目に前記突片を確実に固定し、
突片・切れ目結合は、折り曲げ可能シートの一つの縁を反対側の縁に係合させるとともに、一つの折り曲げ可能シートを他の折り曲げ可能シートにいずれのシートも折り曲げられた状態で係合させ、又は一つの折り曲げ可能シートを前記支持シートに係合させるために採用される、
キット。
【請求項３４】
図面及び実施例を特に参照して、実質的に記載及び例示されているトイレットペーパーロールホルダ組立品。
【請求項３５】
明細書に実質的に記載されている、トイレットペーパーロールホルダ組立品を製作する方法。
【請求項３６】
明細書に実質的に記載されている、トイレットペーパーロールホルダ組立品を組み立てるためのキット。
【発明の詳細な説明】
【技術分野】
【０００１】
本発明は、トイレットペーパーロールホルダに係わり、特に、自在に組み立て、また分解することのできる規格部品組み立て式トイレットペーパーロールホルダに関する。
【背景技術】
【０００２】
様々なトイレット用品が、世界中のあらゆる家庭の、及び公共の手洗い所で一般に使用されており、わけてもそのような用品には、必需品であり日用されるペーパーロールが含まれる。そこで、ペーパーロール格納及び保持器具がこれまで多数開発されてきている。その多くは完成品としての最終形態が予め与えられており、多くは硬い金属材料、又はある程度の柔軟性を有する布、あるいはその両者の組み合わせで作られている。
【発明の概要】
【発明が解決しようとする課題】
【０００３】
しかし、本発明は、ペーパーロール格納及び保持器具を提供するために、製造及び成形の容易性と固有の柔軟性とにおける合成材料の利点を活用している。このような器具は、その部品から簡単に組み立てられ、かつまた簡単に分解されることにより、エンドユーザの特別な要求や好みに従って、カスタマイズが可能である格納及び保持器具を提供する。
【０００４】
そこで、本発明の一つの目的は、自在に組み立てたり、分解したりされるトイレットペーパーロールホルダ組立品を提供することである。
【０００５】
本発明の他の目的は、柔軟性のある合成材料で製作されるトイレットペーパーロールホルダ組立品を提供することである。
【０００６】
本発明の他の目的は、印刷可能な合成材料で製作されるトイレットペーパーロールホルダ組立品を提供することである。
【０００７】
本発明の他の目的は、水洗いすることができ、洗剤に対する耐久性を有するトイレットペーパーロールホルダ組立品を提供することである。
【０００８】
本発明の他の目的は、ロールを必要な数だけ追加することができるトイレットペーパーロールホルダを提供することである。
【０００９】
本発明の他の目的は、複数の異なる図柄を作り出し、それらを好きな順序で配列することができるように、複数の異なる組み合わせを構成することができるトイレットペーパーロールホルダを提供することである。
【００１０】
本発明の他の目的は、トイレットペーパーロールホルダ組立品の組み立て方法を提供することである。
【００１１】
本発明のこの他の目的は、説明を進めるにつれて明らかとなろう。
【課題を解決するための手段】
【００１２】
本発明は、自在に組み立て、又は分解されるトイレットペーパーロールホルダ組立品を提供する。
【００１３】
本発明の一態様により提供されるトイレットペーパーロールホルダ組立品は、
ａ．それ自体で丸められる、少なくとも一つの折り曲げ可能シートと、
ｂ．前記折り曲げ可能シートをそれ自体に係合させるための第一係合手段と、
ｃ．前記折り曲げ可能シートを他の折り曲げ可能シートに係合させるための第二係合手段、又は前記折り曲げ可能シートを折り曲げられた形態でない支持シートに係合させるための第三係合手段とを備える。前記第二係合手段は、前記第一係合手段又は異なる係合手段である。前記第三係合手段は、前記第一係合手段又は異なる係合手段である。前記第一係合手段、前記第二係合手段、及び前記第三係合手段は、前記折り曲げ可能シートの縁に隣接するように配置されている。前記第一折り曲げ可能シートの前記第二係合手段は、他の折り曲げ可能シートと、前記他の折り曲げシートの下方部分において所定の位置に係合可能である。前記折り曲げ可能シートは、それらが折り曲げられた形態において、トイレットペーパーロールを保持するための閉じた空間を生成する。前記係合手段は、前記トイレットペーパーロールホルダを自在に組み立て及び分解することを可能としており、前記折り曲げ可能シート及び前記支持シートは合成材料で形成されている。
【００１４】
本発明の他の態様により提供されるトイレットペーパーロールホルダ組立品では、前記第一係合手段、前記第二係合手段、及び前記第三係合手段は、ボタン、スコッチ突片、両面粘着テープ、前記折り曲げ可能シートの縁に隣接するように明けられた孔に挿通される、開放部を有するリング、クリップ、及び突片と切れ目との結合からなるグループから選択され、前記突片は、前記折り曲げ可能シートの一方の縁の近くで前記折り曲げ可能シートから部分的に切り出され、前記切れ目は、前記折り曲げシートの反対側の縁の近くに、又は前記折り曲げシートの下方部分あるいは支持シートにある所定の位置に明けられる。前記突片は前記切れ目に差し込むのに適しており、それにより前記折り曲げ可能シートの縁を互いに固定し、あるいは一つの折り曲げられたシートを、他の折り曲げ可能シート又は前記支持シートに係合させる。
【００１５】
本発明の一態様では、前記折り曲げ可能シートの一つの縁を反対側の縁に係合させ、また一つの折り曲げ可能シートを他の折り曲げ可能シートにいずれもが折り曲げられた状態で係合させ、また一つの折り曲げ可能シートを支持シートに係合させるための係合手段として、種々の形態の突片・切れ目結合が提供される。
【００１６】
特に本発明の一実施例では、前記第一係合手段、前記第二係合手段、及び前記第三係合手段は突片・切れ目結合であり、前記突片は、前記シートの縁のうちの一つの近くで前記折り曲げ可能シートから部分的に切り出され、その余りの部分に留め具の形態で延長部を有しており、前記切れ目は、その下方に延びる切り欠きを有し、その長さは前記突片の基部の長さより短く、前記突片の縁と反対側の縁の近くで、又は他の前記折り曲げ可能シートの下方部分又は前記支持シートに所定の位置に配置されている。前記突片を前記切れ目に差し込むと、前記突片の前記留め具が前記切れ目の前記切り欠き内に入り込み、前記切れ目に前記突片を確実に固定する。なお、このような突片・切れ目結合は、前記折り曲げ可能シートの一つの縁を反対側の縁に係合させ、また一つの折り曲げ可能シートを他の折り曲げ可能シートにいずれもが折り曲げられた状態で係合させ、また一つの折り曲げ可能シートを支持シートに係合させるために用いられる。
【００１７】
本発明の他の実施例によれば、単一の突片が前記折り曲げ可能シートの一つの縁の近くで部分的に切り出され、前記折り曲げ可能シートの反対側の縁にある切れ目と、他の折り曲げ可能シートの下方部分で所定の位置にある切れ目、又は支持シートにある切れ目のいずれかの両方に結合されている。前記突片は前記切れ目に差し込むのに適しており、それにより前記折り曲げ可能シートの縁を互いに固定し、折り曲げたシートを他の折り曲げたシート又は前記支持シートに係合させる。
【００１８】
本発明の特定の一実施例によれば、前記単一の突片は、前記シートの縁のうちの一つの近くで前記折り曲げ可能シートから部分的に切り出され、その余りの部分に留め具の形態で延長部を有しており、前記切れ目は、前記折り曲げシートの反対側の縁の近くに、又は前記折り曲げシートの下方部分あるいは前記支持シートにある所定の位置に明けられ、前記切れ目の各々は、その下方に延びる切り欠きを有し、その長さは前記突片の基部の長さより短く、前記突片の縁と反対側の縁の近くで、又は他の前記折り曲げ可能シートの下方部分又は前記支持シートに所定の位置で配置されている。前記突片を前記切れ目に差し込むと、前記突片の前記留め具が前記切れ目の前記切り欠き内に入り込み、前記切れ目に前記突片を確実に固定する。なお、このような突片・切れ目結合は、前記折り曲げ可能シートの一つの縁を反対側の縁に係合させ、また一つの折り曲げ可能シートを他の折り曲げ可能シートにいずれもが折り曲げられた状態で係合させ、また一つの折り曲げ可能シートを支持シートに係合させるために用いられる。
【００１９】
本発明の他の態様では、前記折り曲げ可能シート及び前記支持シートは、特にポリプロピレン、ポリエチレン、ポリウレタンであるビニルポリマー、特にポリ塩化ビニル（ＰＶＣ）であるビニルポリマー、特にポリスチレンであるスチレンポリマー、ポリエチレンテレフタレート、エラストマー、あるいは前記のいずれかの組み合わせからなるグループから選択した合成材料から別個に形成されている。
【００２０】
本発明の一実施例では、前記折り曲げ可能シート及び前記支持シートは、印刷可能な合成材料から形成されている。
【００２１】
本発明の他の実施例では、印刷した前記折り曲げ可能シートの組み合わせ、あるいは印刷した前記折り曲げ可能シートと前記支持シートとの組み合わせが、グラフィックパターン、デザイン、筆記文字、書、色、あるいはこれらのいずれかの組み合わせを形成する。
【００２２】
本発明のさらに他の実施例では、前記折り曲げ可能シート及び前記支持シートは水洗い可能であり、洗剤に対する耐久性を備えている。
【００２３】
本発明の一実施例では、前記折り曲げ可能シートは弾性合成材料から形成され、前記弾性合成材料は、前記折り曲げ可能シートが折り曲げられた状態で形成する閉じた空間に収納するペーパーロールの寸法に従って前記折り曲げ可能シートが伸縮することを可能とする。
【００２４】
本発明のさらに他の実施例では、前記折り曲げ可能弾性シートが網状に形成されている。
【００２５】
本発明のさらに他の実施例では、トイレットペーパーロールホルダ組立品は、さらに保管収納部を備え、前記保管収納部は前記第二の係合手段によって最下部にある前記折り曲げ可能シートに、又は前記第三係合手段によって前記支持シートに係合されており、前記係合手段は、前記保管収納部を前記折り曲げ可能シート又は前記支持シートに自在に取り付け、又はそれから取り外し可能としている。
【００２６】
本発明のさらに他の実施例では、前記保管収納部は、トイレット用又は個人用衛生用品を保持するためのものであり、前記衛生用品は、好適には女性用衛生ケア用品である。
【００２７】
本発明の一態様では、各折り曲げ可能シートは、前記組立品から個別に取り外して他の折り曲げ可能シートと交換することができる。
【００２８】
本発明のさらに他の態様では、前記トイレットペーパーロールホルダ組立品は、特に限定されない数の折り曲げ可能シートを折り曲げられた状態で備え、いずれの折り曲げ可能シートも、前記組立品において個別に再配置し、あるいは異なる折り曲げ可能シートと交換することができる。
【００２９】
本発明の特定の一実施例によるトイレットペーパーロールホルダ組立品は、複数のポリプロピレン製折り曲げ可能シートを備え、各シートを丸めてその縁を互いに突片・切れ目結合によって結合し、前記突片は前記シートの一つの縁の近くで各シートの表面から部分的に切り出されており、前記切れ目は、前記シートの他の縁の近くで前記シートに明けられている。前記突片は前記切れ目に差し込むのに適しており、それにより前記折り曲げ可能シートの縁を互いに固定し、折り曲げたシートを他の折り曲げたシート又は前記支持シートに係合させる。第二の突片を前記他の折り曲げられたシートの下方部分に配置された切れ目に差し込むと、各シートは折り曲げられた状態で、トイレットペーパーロールを保持するための閉じられた空間を形成し、前記突片・切れ目結合は、前記トイレットペーパーロールホルダを自在に組み立て、又は分解することを可能としている。
【００３０】
本発明の特定の一実施例によるトイレットペーパーロールホルダ組立品は、複数のポリプロピレン製折り曲げ可能シートを備え、各シートを丸めてその縁を互いに突片・切れ目結合によって結合し、前記突片は前記シートの一つの縁の近くで各シートから部分的に切り出されており、前記切れ目は、前記シートの他の縁の近くで前記シートに明けられている。前記突片は前記切れ目に差し込むのに適しており、それにより各シートの縁を互いに固定し、前記折り曲げられたシートは、前記シートの反対側の縁から部分的に切り出され前記支持シートに明けられた切れ目に差し込まれる第二の突片によって支持シートに係合される。各シートは折り曲げられた状態で、トイレットペーパーロールを保持するための閉じられた空間を形成し、前記突片・切れ目結合は、前記トイレットペーパーロールホルダを自在に組み立て、又は分解することを可能としている。
【００３１】
本発明のさらに他の実施例によるトイレットペーパーロールホルダ組立品では、各シートの表面は印刷された形態を備え、好適には前記折り曲げられたシートへの印刷の組み合わせが、グラフィックパターン又はデザインを形成し、好適には前記グラフィックパターン又はデザインは、一年分又は一月分のカレンダー、商業広告又は商標、筆記文字、又はそれらの組み合わせである。
【００３２】
本発明のさらに他の態様により提供されるトイレットペーパーロールホルダ組立品の製造方法では、
ａ．少なくとも一つの折り曲げ可能シートを用意し、
ｂ．前記折り曲げ可能シートをそれ自体に係合させるための第一係合手段を用意し、
ｃ．前記折り曲げ可能シートを他の折り曲げ可能シートに係合させるための第二係合手段、又は支持シート及び前記折り曲げ可能シートを折り曲げられた状態でない前記支持シートに係合させるための第三係合手段とを用意し、
ｄ．一つの折り曲げ可能シートをその折り曲げ可能シートの長手方向に丸め、一つの縁を前記折り曲げ可能シートの反対側の縁に前記第一係合手段によって係合させ、選択的に、前記第三係合手段を用いることによって、前記折り曲げ可能シートを前記支持シートに折り曲げられた状態で係合させ、
選択的に、
ｅ．前記第二係合手段を用いることによって、前記折り曲げられたシートを他の折り曲げられたシートに係合させ、
ｆ．複数の折り曲げられたシートを備えるトイレットペーパーロールホルダ組立品を得るために、ａないしｅのステップを繰り返す。
【００３３】
本発明のさらに他の態様により提供されるトイレットペーパーロールホルダの製造方法では、前記第一の、及び他の折り曲げ可能シートは、折り曲げられた状態で、トイレットペーパーロールを保持するための閉じた空間を形成し、前記係合手段は、前記トイレットペーパーロールホルダを自在に組み立て、又は分解することを可能としている。
【００３４】
本発明のさらに他の態様により提供されるトイレットペーパーロールホルダの製造方法では、前記折り曲げ可能シート及び前記支持シートは合成材料で形成されている。
【００３５】
本発明の一実施例では、トイレットペーパーロールホルダの製造方法は、前記第二係合手段は前記第一係合手段又は異なる係合手段であり、前記第三係合手段は前記第一係合手段又は異なる係合手段であり、前記第一、第二、及び第三係合手段は、前記折り曲げ可能シートの縁の近くに配置されている。前記第一の折り曲げ可能シートの前記第二係合手段は、前記他の折り曲げ可能シートの下方部分にある所定の位置で前記他の折り曲げ可能シートと係合されることができ、前記第三係合手段は、前記第一の折り曲げ可能シートを前記支持シートに係合させることが可能である。
【００３６】
本発明のさらに他の実施例では、上記の方法に採用される前記第一係合手段、前記第二係合手段、及び前記第三係合手段は、ボタン、スコッチ突片、両面粘着テープ、前記折り曲げ可能シートの縁に隣接するように明けられた孔に挿通される、開放部を有するリング、クリップ、及び突片と切れ目との結合からなるグループから選択され、前記突片は、前記折り曲げ可能シートの一方の縁の近くで前記折り曲げ可能シートから部分的に切り出され、前記切れ目は、前記折り曲げシートの反対側の縁の近く、又は前記折り曲げシートの下方部分あるいは支持シートにある所定の位置に明けられる。前記突片は前記切れ目に差し込むのに適しており、前記折り曲げ可能シートの縁を互いに固定し、あるいは前記折り曲げ可能シートを、他の折り曲げ可能シートに折り曲げた状態で係合させ、又は前記支持シートに係合させる。
【００３７】
本発明のさらに他の実施例では、トイレットペーパーロールホルダの組み立て方法において採用される前記第一係合手段、前記第二係合手段、及び前記第三係合手段は、種々の形態で固定する突片・切れ目結合により提供される。
【００３８】
本発明の特定の一実施例では、上記の方法は、トイレットペーパーロールホルダを組み立てるために突片・切れ目結合を採用し、前記突片は、前記シートの縁のうちの一つの近くで前記折り曲げ可能シートから部分的に切り出され、その余りの部分に留め具の形態で延長部を有しており、前記切れ目は、その下方に延びる切り欠きを有し、その長さは前記突片の基部の長さより短く、前記突片の縁と反対側の縁の近くで、又は他の前記折り曲げ可能シートの下方部分又は前記支持シートに所定の位置で配置されている。前記突片を前記切れ目に差し込むと、前記突片の前記留め具が前記切れ目の前記切り欠き内に入り込み、前記切れ目に前記突片を確実に固定する。突片・切れ目結合は、折り曲げ可能シートの一つの縁を反対側の縁に係合させるとともに、一つの折り曲げ可能シートを他の折り曲げ可能シートにいずれのシートも折り曲げられた状態で係合させ、又は前記支持シートに係合させるために採用される。
【００３９】
本発明のさらに他の実施例では、上記の方法は、単一の突片が前記折り曲げ可能シートの一つの縁の近くで部分的に切り出され、前記折り曲げ可能シートの反対側の縁にある切れ目と、他の折り曲げ可能シートの下方部分で所定の位置にある切れ目、又は支持シートにある切れ目のいずれかの両方に結合されている。前記突片は前記切れ目に差し込むのに適しており、それにより前記折り曲げ可能シートの縁を互いに固定し、折り曲げたシートを他の折り曲げたシート又は前記支持シートに係合させる。
【００４０】
本発明の特定の一実施例では、上記の方法は、単一の突片を採用しており、前記単一の突片は、前記シートの縁のうちの一つの近くで前記折り曲げ可能シートから部分的に切り出され、前記折り曲げ可能シートの反対側の縁にある切れ目と、他の折り曲げ可能シートの前記下方部分にある所定の位置に配置されている切れ目又は支持シートにある切れ目のいずれかとに結合されている。前記突片は前記切れ目に差し込むのに適しており、それにより前記折り曲げ可能シートの縁を互いに固定し、折り曲げられたシートのいずれかを、他の折り曲げられたシート又は前記支持シートに係合させる。
【００４１】
本発明の特定の一実施例では、上記の方法は、単一の突片を採用しており、前記単一の突片は、前記シートの縁のうちの一つの近くで前記折り曲げ可能シートから部分的に切り出され、その余りの部分に留め具の形態で延長部を有しており、前記切れ目は、前記突片が配置されている縁と反対側の縁と、前記折り曲げシートの下方部分あるいは前記支持シートにある所定の位置とに明けられており、各切れ目は、その下方に延びる切り欠きを有し、その長さが前記突片の基部の長さより短い。前記突片を前記切れ目に差し込むと、前記突片の前記留め具が前記切れ目の前記切り欠き内に入り込み、前記切れ目に前記突片を確実に固定する。なお、このような突片・切れ目結合は、折り曲げ可能シートの一つの縁を反対側の縁に係合させるとともに、一つの折り曲げ可能シートを他の折り曲げ可能シートにいずれのシートも折り曲げられた状態で係合させ、あるいは一つの折り曲げ可能シートを前記支持シートに係合させるために採用される。
【００４２】
本発明のさらに他の態様により提供される、トイレットペーパーロールホルダ組立品を組み立てるためのキットは、
ａ．少なくとも一つの折り曲げ可能シートと、
ｂ．前記折り曲げ可能シートをそれ自体に係合させるための第一係合手段と、
ｃ．前記折り曲げ可能シートを他の折り曲げ可能シートに係合させるための第二係合手段、又は支持シート及び前記折り曲げ可能シートを折り曲げられた状態でない前記支持シートに係合させるための第三係合手段と、
を備えている。
【００４３】
前記第二係合手段は前記第一係合手段又は異なる係合手段であり、前記第三係合手段は前記第一係合手段又は異なる係合手段である。前記第一、第二、及び第三係合手段は、前記トイレットペーパーロールホルダを組み立てるときに、前記折り曲げ可能シートの縁の近くに配置されている。前記第一の折り曲げ可能シートの前記第二係合手段は、前記他の折り曲げ可能シートの下方部分にある所定の位置で前記他の折り曲げ可能シートと係合することができる。前記第一の、及び他の折り曲げ可能シートは、折り曲げられた状態で、トイレットペーパーロールを保持するための閉じた空間を形成する。前記係合手段は、前記トイレットペーパーロールホルダを自在に組み立て、又は分解することを可能としており、前記折り曲げ可能シート及び前記支持シートは合成材料で形成されている。
【００４４】
本発明の一実施例により提供されるキットでは、前記第一係合手段、前記第二係合手段、及び前記第三係合手段は、ボタン、スコッチ突片、両面粘着テープ、前記折り曲げ可能シートの縁に隣接するように明けられた孔に挿通される、開放部を有するリング、クリップ、及び突片と切れ目との結合からなるグループから選択され、
前記突片は、前記折り曲げ可能シートの一方の縁の近くで前記折り曲げ可能シートから部分的に切り出され、前記切れ目は、前記折り曲げ可能シートの反対側の縁の近くで、又は他の折り曲げ可能シートの下方部分あるいは支持シートにある所定の位置に明けられている。前記突片は前記切れ目に差し込むのに適しており、それによって、前記折り曲げ可能シートの縁を互いに固定し、あるいは前記折り曲げ可能シートを他の折り曲げ可能シートにいずれも折り曲げた状態で係合させ、又は前記折り曲げ可能シートを前記支持シートに係合させる。
【００４５】
本発明のさらに他の実施例で提供されるキットでは、前記第一係合手段、前記第二係合手段、及び前記第三係合手段は、種々の形態で固定する突片・切れ目結合により提供される。
【００４６】
本発明の特定の一実施例で提供されるキットでは、前記突片は、前記シートの縁のうちの一つの近くで前記折り曲げ可能シートから部分的に切り出され、その余りの部分に留め具の形態で延長部を有しており、前記切れ目は、その下方に延びる切り欠きを有し、その長さは前記突片の前記基部の長さより短く、前記突片の縁と反対側の縁の近くで、又は他の前記折り曲げ可能シートの下方部分又は前記支持シートに所定の位置で配置されており、前記突片を前記切れ目に差し込むと、前記突片の前記留め具が前記切れ目の前記切り欠き内に入り込み、前記切れ目に前記突片を確実に固定し、突片・切れ目結合は、折り曲げ可能シートの一つの縁を反対側の縁に係合させるとともに、前記折り曲げ可能シートを他の折り曲げ可能シートにいずれのシートも折り曲げられた状態で係合させ、又は前記折り曲げ可能シートを前記支持シートに係合させる。
【００４７】
本発明のさらに他の実施例で提供されるキットでは、単一の突片が前記折り曲げ可能シートの一つの縁の近くで部分的に切り出され、前記折り曲げ可能シートの反対側の縁にある切れ目に結合されるとともに、他の折り曲げ可能シートの下方部分で所定の位置にある切れ目、又は支持シートにある切れ目のいずれかに結合されている。前記突片は前記切れ目に差し込むのに適しており、それにより前記折り曲げ可能シートの縁を互いに固定し、折り曲げたシートを他の折り曲げたシート又は前記支持シートに係合させる。
【００４８】
本発明の特定の一実施例で提供されるキットでは、前記単一の突片は、前記シートの縁のうちの一つの近くで前記折り曲げ可能シートから部分的に切り出され、その余りの部分に留め具の形態で延長部を有しており、前記切れ目は、前記折り曲げ可能シートの反対側の縁の近くに、又は前記折り曲げ可能シートの下方部分あるいは前記支持シートにある所定の位置に明けられ、前記切れ目の各々は、その下方に延びる切り欠きを有し、その長さは前記突片の前記基部の長さより短い。前記突片を前記切れ目に差し込むと、前記突片の前記留め具が前記切れ目の前記切り欠き内に入り込み、前記切れ目に前記突片を確実に固定する。なお、このような突片・切れ目結合は、折り曲げ可能シートの一つの縁を反対側の縁に係合させるとともに、一つの折り曲げ可能シートを他の折り曲げ可能シートにいずれのシートも折り曲げられた状態で係合させ、又は一つの折り曲げ可能シートを前記支持シートに係合させるために採用される。
【図面の簡単な説明】
【００４９】
【図１】図１は、支持シートを含まない自己支持トイレットペーパーロールホルダ組立品に使用される、折り曲げ可能シートの平面図である。
【図２】図２は、自己支持トイレットペーパーロールホルダ組立品の正面投影図である。
【図３】図３は、自己支持トイレットペーパーロールホルダ組立品の透視図である。
【図４】図４は、自己支持トイレットペーパーロールホルダ組立品の上面図である。
【図５】図５は、自己支持トイレットペーパーロールホルダ組立品に使用される、正確な寸法で描かれた折り曲げ可能シートの上面図である。
【図６】図６は、自己支持トイレットペーパーロールホルダ組立品の側面図であり、ペーパーロールを保持させた状態で、その使用法を説明している。
【図７】図７は、支持シートを有するトイレットペーパーロールホルダ組立品に使用される、支持された折り曲げ可能シートの上面図である。
【図８】図８は、支持シートを有する支持されたトイレットペーパーロールホルダ組立品の前面側の透視図である。
【図９】図９は、支持シートを有する支持されたトイレットペーパーロールホルダ組立品の後面側の透視図である。
【図１０】図１０は、支持シートを有する支持されたトイレットペーパーロールホルダ組立品の上面側の透視図であり、全部のシートが折り曲げられていない形態である。
【図１１】図１１は、支持シートを有する支持されたトイレットペーパーロールホルダ組立品の透視図である。
【図１２】図１２は、支持背部を有する支持されたトイレットペーパーロールホルダ組立品の側面図であり、複数のトイレットペーパーロールを保持している。
【図１３】図１３は、一つの突片と二つの切れ目とを有する折り曲げ可能シートの上面図である。
【発明を実施するための形態】
【００５０】
図１は、本発明の特定の実施例であり、自己支持トイレットペーパーロールホルダ組立品に使用される折り曲げ可能シートを図示している。このシート１３は、規定の長さ及び幅を有する突片であり、前記係合手段が、前記シート１３の表面から、その下側縁に隣接して部分的にのみ切り出される半円形突片１５であることを特徴としている。
【００５１】
好適な切れ目１１は、前記折り曲げ可能シートの上側縁に近接して明けられており、その切れ目を通して前記突片を差し込むことができる長さ及び幅とされている。いったん前記シートを丸めるように折り曲げれば、このような突片−切れ目結合により、前記シートを折り曲げられた構成で固定することが可能となり、それによって、ペーパーロールを楽に差し入れることができる円筒形の閉じた空間が形成される。前記シートの下側部分にある切れ目１４は、ただ切れ目を通して前記突片１２を差し込んで固定することにより、一つの折り曲げられたシートを隣のシートに係合させるのに使用される。このようにして、本質的に自己支持である折り曲げられたシートの連続した鎖を、ユーザの希望及び必要に応じて形成することができる。このような鎖は、簡単に組み立てて、また分解することができる。さらに、前記シートに、例えば模様、色や文字を印刷すれば、種々の組み合わせでそれらのシートの組み立てを行うことができ、エンドユーザの好みとスタイル、あるいは特定の希望する組み合わせに従って適合させることができる。
【００５２】
図２に、トイレットペーパーロールホルダ組立品の後面側の投影図を示している。半円形突片２１は、上側にある折り曲げられたシート２２の切れ目に差し込まれて、このシートを固定している。図２の要素２３は、折り曲げられた状態にある下側折り曲げ可能シートの突片−切れ目結合と、図１に符号１４で示される切れ目に差し込まれた図１の符号１２で示される第２の突片を用いた突片−切れ目結合によって実現される前記下側シートの前記上側シートへの係合との両方を表している。要素２４は、前記下側折り曲げ可能シートの下側部分にある切れ目であり、突片−切れ目結合を用いて他の折り曲げられたシートを係合させるのに使用することができる。
【００５３】
図３及び図４は、それぞれ、二つの円筒を備える自己支持トイレットペーパーロールホルダの上面透視図、及び側面透視図を示している。図３、図４のいずれも、前記シートを折り曲げられた状態で固定し、一つの折り曲げられたシートを次のシートに係合させる、すなわち符号３２を符号３４に、符号４３を符号４４に係合させるのに使用される係合用半円形突片３１，４１、及び４２を示している。要素４２はまた、下側にある折り曲げられたシート４３の、上側にある折り曲げられたシート４４への係合を示している。これらの折り曲げられたシートは、それぞれ、ペーパーロールを楽に格納することができる閉じた円筒形の空間３３、４５及び４６を形成している。
【００５４】
図５に、折り曲げ可能シート５２についての特定の大きさ及び寸法とその特徴を示しており、すなわち、シートの長さ及び幅、前記シートを折り曲げられた状態で固定するために半円形突片５４及び切れ目５１、及び前記シートの下側部分にあり、一つの折り曲げられたシートを隣のシートに係合させるために使用される切れ目５３の長さが示されている。
【００５５】
図６は、この組立品の使用法を説明するもので、前記折り曲げられたシート６１、６４によって形成される閉じた空間にペーパーロール６２、６４が格納されている状態で、前記組立品の側面図を示している。
【００５６】
図７は、本発明の他の特定の実施例であり、前記シート７２を折り曲げられた状態で固定し、折り曲げられた状態の前記シートを前記支持シートに係合させるために、それぞれ前記シートの他の縁にある切れ目と、前記支持シートにある切れ目とに結合している半円形突片７３、７１を有する、折り曲げられていない状態の折り曲げ可能シートを図示している。図８には、全部の折り曲げられたシート８２、８３、及び８５に係合されている支持シート８１を備える支持されたトイレットペーパーロールホルダ組立品の、前側から見た投影図が示されている。丸孔８６は、本トイレットペーパーロールホルダをなんらかの適当なラック、アンカー、あるいはフックに引っかけるのに用いられる。
【００５７】
支持されたトイレットペーパーロールホルダ組立品の後面側平面投影図を図９に示している。突片−切れ目結合９２が、前記支持シート９１の後面から外へ突出しており、前記シートを折り曲げられた状態で固定し、あるいはそれぞれを前記支持シート９１に係合させている。丸孔９３は、本トイレットペーパーロールホルダをなんらかの適当なラック、アンカー、あるいはフックに引っかけるのに用いられる。図１０は、図９に示した本組立品の、折り曲げる前の構成を示す平面図であり、全部の折り曲げ可能シート１０２、１０３、及び１０４が折り曲げられていない状態で、支持シート１０１の上に現れている。丸孔１０５は、本トイレットペーパーロールホルダをなんらかの適当なラック、アンカー、あるいはフックに引っかけるのに用いられる。
【００５８】
最後に、図１１及び図１２は、それぞれ、支持されたトイレットペーパーロールホルダ組立品の透視図及び側面図であり、折り曲げられたシート、例えば図１１の符号１１３、１１４、及び１１５、図１２の１２２に係合している支持シート１１１、１２１を図示している。このような折り曲げられたシートの閉じた構成は、閉じた円筒形の空間、例えば図１２の符号１２３を形成し、そこにトイレットペーパーロール１２４を楽に差し入れて保管する。丸孔１１６は、本トイレットペーパーロールホルダをなんらかの適当なラック、アンカー、あるいはフックに引っかけるのに用いられる。
【００５９】
図１３は、シートの一つの縁の近くに配置された単独突片１３２、前記突片１３２と反対の縁の近くに配置された切れ目１３３、及び前記シートの下側部分に配置された切れ目１３４の形態をとっている係合手段を有する折り曲げ可能シート１３１を模式的に示している。自己支持トイレットペーパーロールホルダを組み立てるとき、いったんシート１３１を丸めて、前記突片１３２を前記切れ目１３３に差し込むことにより、突片１３２が反対側の縁で前記切れ目１３３に結合される。そして、シート１３１を折り曲げた状態で他の折り曲げられたシートに係合させると、同じ突片１３２が、前記他の折り曲げられたシートの下側部分に配置された切れ目１３４に結合する。あるいは、前記組立品が支持されたものである場合には、突片１３２を前記切れ目に差し込むことによって、前記支持シートにおいて、突片１３２を切れ目に結合させる。それによって折り曲げられたシート１３１が前記支持シートに係合する。
【００６０】
本発明を、その好適実施例に関して説明したが、理解されるように、当業者は本発明の範囲内で、その形態や詳細を変更することができる。
【図１】
2010512219.tif 000003
【図２】
2010512219.tif 000004
【図３】
2010512219.tif 000005
【図４】
2010512219.tif 000006
【図５】
2010512219.tif 000007
【図６】
2010512219.tif 000008
【図９】
2010512219.tif 000009
【図１０】
2010512219.tif 000010
【図１１】
2010512219.tif 000011
【図１２】
2010512219.tif 000012
【図１３】
2010512219.tif 000013
【国際調査報告】
2010512219.tif 000014
2010512219.tif 000015
2010512219.tif 000016